(57)【要約】【課題】ハイパーリンク選択方法及び装置を提供する。【解決手段】ウェブページでタッチ入力またはクリック入力が感知されれば、入力に対応する座標を獲得する段階と、座標近くに存在する少なくとも１つの候補ハイパーリンクを検索する段階と、少なくとも１つの候補ハイパーリンクが含まれた領域を拡大する段階と、少なくとも１つの候補ハイパーリンクを、他のハイパーリンクと区分されるように変更する段階と、を含むハイパーリンク選択方法及び装置である。【選択図】図１
2011165182.tif 000002
【特許請求の範囲】
【請求項１】
ウェブページでタッチ入力またはクリック入力が感知されれば、入力に対応する座標を獲得する段階と、
前記座標近くに存在する少なくとも１つの候補ハイパーリンクを検索する段階と、
前記少なくとも１つの候補ハイパーリンクが含まれた領域を拡大する段階と、
前記少なくとも１つの候補ハイパーリンクを、他のハイパーリンクと区分されるように変更する段階と、を含むことを特徴とするハイパーリンク選択方法。
【請求項２】
前記少なくとも１つの候補ハイパーリンクを変更する段階は、
前記各候補ハイパーリンクに所定のボタンイメージを追加する段階を含むことを特徴とする請求項１に記載のハイパーリンク選択方法。
【請求項３】
前記少なくとも１つの候補ハイパーリンクを変更する段階は、
前記各候補ハイパーリンクをハイライティングする段階をさらに含むことを特徴とする請求項２に記載のハイパーリンク選択方法。
【請求項４】
前記候補ハイパーリンクが含まれた領域の拡大が一般的な画面拡大と区分されるように、所定のサウンドを出力する段階をさらに含むことを特徴とする請求項１に記載のハイパーリンク選択方法。
【請求項５】
前記少なくとも１つの候補ハイパーリンクを検索する段階は、
前記ウェブページに存在するハイパーリンクのうち、前記座標から所定距離内にあるハイパーリンクを候補ハイパーリンクに選択する段階を含むことを特徴とする請求項１に記載のハイパーリンク選択方法。
【請求項６】
前記拡大された画面で、前記少なくとも１つの候補ハイパーリンクのうち一つに係わるタッチ入力またはクリック入力が感知されれば、選択された候補ハイパーリンクに該当する機能を遂行する段階をさらに含むことを特徴とする請求項１に記載のハイパーリンク選択方法。
【請求項７】
前記拡大された画面で、前記少なくとも１つの候補ハイパーリンク以外の部分に係わるタッチ入力またはクリック入力が感知されれば、前記拡大以前の画面を提供する段階をさらに含むことを特徴とする請求項１に記載のハイパーリンク選択方法。
【請求項８】
ハイパーリンク選択方法を遂行するプログラムを記録したコンピュータで読み取り可能な記録媒体において、前記方法は、
ウェブページでタッチ入力またはクリック入力が感知されれば、入力に対応する座標を獲得する段階と、
前記座標近くに存在する少なくとも１つの候補ハイパーリンクを検索する段階と、
前記少なくとも１つの候補ハイパーリンクが含まれた領域を拡大する段階と、
前記少なくとも１つの候補ハイパーリンクを、他のハイパーリンクと区分されるように変更する段階と、を含むことを特徴とする記録媒体。
【請求項９】
ウェブブラウザを含むハイパーリンク選択装置において、前記ウェブブラウザは、
ウェブページでタッチ入力またはクリック入力が感知されれば、入力に対応する座標を獲得するイベント処理部と、
前記座標近くに存在する少なくとも１つの候補ハイパーリンクを検索するハイパーリンク検索部と、
前記少なくとも１つの候補ハイパーリンクが含まれた領域を拡大し、前記少なくとも１つの候補ハイパーリンクを、他のハイパーリンクと区分されるように変更するハイパーリンク効果処理部と、を含むことを特徴とするハイパーリンク選択装置。
【請求項１０】
ハイパーリンク効果処理部は、前記各候補ハイパーリンクに所定のボタンイメージを追加することを特徴とする請求項９に記載のハイパーリンク選択装置。
【請求項１１】
前記ハイパーリンク効果処理部は、前記各候補ハイパーリンクをハイライティングすることを特徴とする請求項１０に記載のハイパーリンク選択装置。
【請求項１２】
前記ハイパーリンク効果処理部は、前記候補ハイパーリンクが含まれた領域の拡大が一般的な画面拡大と区分されるように、所定のサウンドを出力することを特徴とする請求項９に記載のハイパーリンク選択装置。
【請求項１３】
前記ハイパーリンク検索部は、前記ウェブページに存在するハイパーリンクのうち、前記座標から所定距離内にあるハイパーリンクを候補ハイパーリンクに選択することを特徴とする請求項９に記載のハイパーリンク選択装置。
【請求項１４】
前記イベント処理部は、前記拡大された画面で、前記少なくとも１つの候補ハイパーリンクのうち一つに係わるタッチ入力またはクリック入力が感知されれば、選択された候補ハイパーリンクに該当する機能を遂行するイベントとして決定することを特徴とする請求項９に記載のハイパーリンク選択装置。
【請求項１５】
前記イベント処理部は、前記拡大された画面で、前記少なくとも１つの候補ハイパーリンク以外の部分に係わるタッチ入力またはクリック入力が感知されれば、前記拡大以前の画面を提供するイベントとして決定することを特徴とする請求項９に記載のハイパーリンク選択装置。
【発明の詳細な説明】
【技術分野】
【０００１】
本発明は、モバイル機器（mobile device）でのウェブサービス提供に係り、さらに具体的には、小画面のモバイル機器でのハイパーリンク選択方法及び装置に関する。
【背景技術】
【０００２】
最近、モバイル機器でも、フル・ブラウジング（full browsing）機能が採用されることにより、小画面のモバイル機器でも、デスクトップでのように、便利にウェブ・ブラウジング自在にする機能が必要である。特に、従来のモバイル・フル・ブラウザ（mobile full browser）は、デスクトップの解像度に合わせて製作されたウェブページを、モバイル機器の画面に合うように縮小し、オーバービュー・モード（overview mode）で見せている。このように縮小された画面で、ユーザがウェブページに含まれたハイパーリンクを正確にタッチまたはクリックして選択することは困難なことであり、特に、指を利用したタッチ入力方式を使用するときは、さらにウェブページを操作し難くなる。このような技術については、特許文献１に開示されている。
【先行技術文献】
【特許文献】
【０００３】
【特許文献１】韓国公開特許公報第２００９−０００３４３０号
【発明の概要】
【発明が解決しようとする課題】
【０００４】
本発明はモバイル機器で、ユーザをして、ウェブページのハイパーリンクを便利にタッチまたはクリックさせるためのハイパーリンク選択方法及び装置を提供するためのものである。
【課題を解決するための手段】
【０００５】
本発明の一実施形態によるハイパーリンク選択方法は、ウェブページでタッチ入力またはクリック入力が感知されれば、入力に対応する座標を獲得する段階と、前記座標近くに存在する少なくとも１つの候補ハイパーリンクを検索する段階と、前記少なくとも１つの候補ハイパーリンクが含まれた領域を拡大する段階と、前記少なくとも１つの候補ハイパーリンクを、他のハイパーリンクと区分されるように変更する段階と、を含む。
【０００６】
前記少なくとも１つの候補ハイパーリンクを変更する段階は、前記各候補ハイパーリンクに所定のボタンイメージを追加する段階を含むことができる。前記少なくとも１つの候補ハイパーリンクを変更する段階は、前記各候補ハイパーリンクをハイライティングする段階をさらに含むことができる。
【０００７】
前記ハイパーリンク選択方法は、前記候補ハイパーリンクが含まれた領域の拡大が一般的な画面拡大と区分されるように、所定のサウンドを出力する段階をさらに含むことができる。
【０００８】
前記少なくとも１つの候補ハイパーリンクを検索する段階は、前記ウェブページに存在するハイパーリンクのうち、前記座標から所定距離内にあるハイパーリンクを候補ハイパーリンクに決定する段階を含むことができる。
前記ハイパーリンク選択方法は、前記拡大された画面で、前記少なくとも１つの候補ハイパーリンクのうち一つに係わるタッチ入力またはクリック入力が感知されれば、選択された候補ハイパーリンクに該当する機能を遂行する段階をさらに含むことができる。
【０００９】
前記ハイパーリンク選択方法は、前記拡大された画面で、前記少なくとも１つの候補ハイパーリンク以外の部分に係わるタッチ入力またはクリック入力が感知されれば、前記拡大以前の画面を提供する段階をさらに含むことができる。
前記ハイパーリンク選択方法は、前記拡大された画面で、ロングタップ（long tap）入力またはダブルクリック（double click）入力が感知されれば、画面をさらに拡大する段階をさらに含むことができる。
【００１０】
本発明の他の実施形態による、ウェブブラウザを含むハイパーリンク選択装置において、前記ウェブブラウザは、ウェブページでタッチ入力またはクリック入力が感知されれば、入力に対応する座標を獲得するイベント処理部と、前記座標近くに存在する少なくとも１つの候補ハイパーリンクを検索するハイパーリンク検索部と、前記少なくとも１つの候補ハイパーリンクが含まれた領域を拡大し、前記少なくとも１つの候補ハイパーリンクを、他のハイパーリンクと区分されるように変更するハイパーリンク効果処理部と、を含む。
【図面の簡単な説明】
【００１１】
【図１】本発明の一実施形態によるハイパーリンク選択装置の構成図である。
【図２】本発明の他の実施形態によるハイパーリンク選択方法のフローチャートである。
【図３】本発明のさらに他の実施形態によるハイパーリンク選択方法のフローチャートである。
【図４】モバイル・ブラウザに縮小されたウェブページがディスプレイになった画面を例示した図面である。
【図５】図４の画面で、クリック入力またはタッチ入力が感知され、候補ハイパーリンクが含まれた領域が拡大された画面を例示した図面である。
【図６】図５の画面がさらに拡大された画面を例示した図面である。
【図７】ユーザが図６の画面で、候補ハイパーリンク以外の部分をクリックまたはタッチする様子を例示した図面である。
【発明を実施するための形態】
【００１２】
以下、添付された図面を参照しつつ、本発明の望ましい実施形態について、具体的に説明する。
【００１３】
図１は、本発明の一実施形態によるハイパーリンク選択装置の構成図である。
図１を参照すれば、ハイパーリンク選択装置は、ウェブ・ブラウジング自在なコンピュータ機器であり、ウェブサーバとの通信のための通信部１３０；タッチスクリーン、マウス、キーボードなどのユーザ入力を処理するための入力部１１０；ウェブブラウザ及びウェブサーバから受信したウェブページをディスプレイするためのディスプレイ部１４０；ウェブブラウザのような応用プログラムと、ウェブサービスを提供するのに必要なデータとを保存するための保存部１２０；前記通信部１３０、入力部１１０、ディスプレイ部１４０及び保存部１２０を制御し、ウェブブラウザ１００を実行してウェブサービスを提供するプロセッサである制御部（図示せず）；を含む。
【００１４】
ウェブブラウザ１００は、ウェブページでタッチ入力またはクリック入力が感知されれば、入力に対応する座標を獲得するイベント処理部１０１、入力座標近くに存在する少なくとも１つの候補ハイパーリンクを検索するハイパーリンク検索部１０２、検索された少なくとも１つの候補ハイパーリンクが含まれた領域を拡大し、それら候補ハイパーリンクを、他のハイパーリンクと区分されるように変更するハイパーリンク効果処理部１０３を含む。各ユニットの多様な実施形態については、図２ないし図７を参照しつつ後述する。
【００１５】
図２は、本発明の他の実施形態によるハイパーリンク選択方法のフローチャートである。
図２を参照すれば、ユーザによって要請されたウェブページが、ウェブブラウザにディスプレイされている状態で、タッチ入力またはクリック入力が感知されれば、入力に対応する座標を計算して獲得する（Ｓ２１０）。次に、座標近くに存在する少なくとも１つの候補ハイパーリンクを検索する（Ｓ２２０）。候補ハイパーリンクは、ユーザが選択を願うと予想されるハイパーリンクをいう。候補ハイパーリンクが決定されたならば、ユーザ所望のハイパーリンクを正確にタッチまたはクリックできるように、前記少なくとも１つの候補ハイパーリンクが含まれた領域を拡大し（Ｓ２３０）、他のハイパーリンクと区分されるように、候補ハイパーリンクを変更する（Ｓ２４０）。
【００１６】
図３は、本発明のさらに他の実施形態によるハイパーリンク選択方法のフローチャートである。
ユーザは、ウェブページでハイパーリンクを選択するために、所望の位置をタッチまたはクリックする。しかし、モバイル・ブラウザの場合、図４の例の通り、ウェブページが縮小されてディスプレイされているために、ユーザが所望のハイパーリンクを正確にタッチまたはクリックし難い。図１及び図３を参照すれば、イベント処理部１０１は、ウェブページ上で、タッチ入力またはクリック入力が感知されれば、タッチまたはクリックの位置を計算して座標を獲得する（Ｓ３１０）。入力座標を利用して、ユーザが正確にハイパーリンクを選択したが否かを決定する（Ｓ３２０）。ユーザが正確にハイパーリンクをタッチまたはクリックした場合、選択されたハイパーリンクに該当する機能（例えば、所望のウェブサイトのオープン）を遂行し（Ｓ３９０）、そうではない場合、ユーザのハイパーリンク選択を容易にするために、Ｓ３３０の段階に進む。このとき、現在ディスプレイされているウェブページの拡大水準（zoom level）が、所定値以上である場合は、Ｓ３３０段階に進まない。ユーザのハイパーリンク選択が容易なほどに、十分にウェブページが拡大されている状態では、Ｓ３３０段階に進む必要がないためである。
【００１７】
図１及び図３を参照すれば、ハイパーリンク検索部１０２は、ウェブページに存在するハイパーリンクのうち、入力座標から所定距離内にある少なくとも１つのハイパーリンクを、候補ハイパーリンクに決定する（Ｓ３３０）。次に、ハイパーリンク効果処理部１０３は、候補ハイパーリンクが含まれた領域を、所定のレベルに拡大する（Ｓ３４０）。図４の画面で、ユーザが領域４１０内の１つの地点をタッチまたはクリックした場合、図５のように、５２０ないし５２２のハイパーリンク３つが候補ハイパーリンクに決定され、それら候補ハイパーリンクを中心に画面が拡大される。ハイパーリンク効果処理部１０３は、画面拡大時に、候補ハイパーリンクが含まれた領域の拡大が、一般的な画面拡大と区分されるように、所定のサウンドを出力し、ユーザとしてその事実を容易に認知させることができる。また、ハイパーリンク効果処理部１０３は、図５に図示されているように、各候補ハイパーリンク５２０〜５２２をハイライティング処理し、所定のボタンイメージ５１０を追加する（Ｓ３５０）。図５の例で、ハイライティング処理に、ハイパーリンクを実線に取り囲む方法が利用されたが、これに限定されるものではなく、色相の変更、濃表示などの強調表示方法も使われうる。
【００１８】
イベント処理部１０１は、前記拡大された画面で、タッチ入力またはクリック入力が感知されれば、入力に対応する座標を計算して獲得する（Ｓ３６０）。計算された座標を参照し、ユーザが候補ハイパーリンクのうち一つを正確に選択したか、あるいは候補ハイパーリンク以外の部分に係わるタッチ入力またはクリック入力であるか否かを判断する（Ｓ３７０）。正確に候補ハイパーリンクのうち一つを選択したのであれば、選択された候補ハイパーリンクに該当する機能を遂行するイベントとして決定する。結果として、選択された候補ハイパーリンクに該当する機能が行われる（Ｓ３９０）。前記タッチ入力またはクリック入力が候補ハイパーリンクのうち一つを選択したものではないと判断されれば、前記拡大以前の画面を提供するイベントとして決定する。結果として、元の画面に戻る（Ｓ３８０）。このとき、候補ハイパーリンク以外のハイパーリンクをタッチまたはクリックした場合でも、当該ハイパーリンクの選択として処理せずに、本来の画面へ戻るように具現できる。本来の画面に復帰するときも、画面を拡大するときと同様に、一般的な画面縮小と区分されるように、所定のサウンドを出力させることができる。
【００１９】
一方、ユーザが現在の画面拡大にもかかわらず、さらに拡大した後にハイパーリンクを選択したい場合、すなわち、現在の画面拡大及びハイパーリンクの変更処理が不十分であると感じる場合は、タッチまたはクリックと異なる入力を使用して、画面をさらに拡大できる。本実施形態では、ロングタップ（long tap）入力またはダブルクリック（double click）入力が使われている。イベント処理部１０１は、一度拡大された画面で、ロングタップ入力またはダブルクリック入力が感知されれば、画面をさらに拡大するイベントであると決定する。結果として、候補ハイパーリンクを含む領域が図６のようにさらに大きく拡大される（Ｓ３６５）。このように、さらに一層拡大された画面で、タッチ入力またはクリック入力が感知されれば、Ｓ３６０段階に進む。すなわち、入力に対応する座標が計算され（Ｓ３６０）、候補ハイパーリンクのうち一つを正確に選択したと判断されれば、それに該当する機能が行われる（Ｓ３９０）。図７は、ユーザが図６の画面で、候補ハイパーリンク以外の部分をクリックまたはタッチする様子を例示したものである。この場合、本来の画面の図４に戻る（Ｓ３８０）。このときも、一般的な画面縮小と区分されるように、所定のサウンドを出力させることができる。
【００２０】
以上、本発明は、たとえ限定された実施形態と図面とによって説明されているにしても、本発明が、前記の実施形態に限定されるものではなく、それらは、本発明が属する分野で当業者であるならば、このような記載から多様な修正及び変形が可能であろう。従って、本発明の思想は、特許請求の範囲によってのみ把握されるものであり、それと均等であるか、あるいは等価的な変形は、いずれも本発明の思想の範疇に属するものである。また、本発明によるシステムは、コンピュータで読み取り可能な記録媒体に、コンピュータで読み取り可能なコードとして具現することが可能である。コンピュータで読み取り可能な記録媒体は、コンピュータシステムによって読み取り可能なデータが保存されるあらゆる種類の記録装置を含む。記録媒体の例としては、ＲＯＭ（read-only memory）、ＲＡＭ（random-access memory）、ＣＤ−ＲＯＭ、磁気テープ、フロッピー（登録商標）ディスク、光データ保存装置などがあって、またキャリアウェーブ（例えば、インターネットを介した伝送）の形態で具現されるものの含む。また、コンピュータで読み取り可能な記録媒体は、ネットワークに連結されたコンピュータシステムに分散され、分散方式でコンピュータで読み取り可能なコードが保存されて実行されうる。
【符号の説明】
【００２１】
１００    ウェブブラウザ
１０１    イベント処理部
１０２    ハイパーリンク検索部
１０３    ハイパーリンク効果処理部
１１０    入力部
１３０    通信部
１４０    ディスプレイ
４１０    領域
５１０    ボタンイメージ
５２０，５２１，５２２    ハイパーリンク
【図１】
2011165182.tif 000003
【図２】
2011165182.tif 000004
【図３】
2011165182.tif 000005
【図４】
2011165182.tif 000006
【図５】
2011165182.tif 000007
【図６】
2011165182.tif 000008
【図７】
2011165182.tif 000009